(57)【要約】      （修正有）【課題】戸籍届書の保管用の写しを残しておくことができ、かつ自治体の費用負担を削減できる戸籍届用冊子を提供する。【解決手段】見本用紙１１、戸籍届書１２、及びこの戸籍届書１２へ記入した事項の一部又は全部が表面に複写される保管用紙１３をこの順に且つそれぞれ分離可能に備え、戸籍届書１２が、婚姻届書又は出生届書であり、保管用紙１３の裏面に広告欄が設けられている複写式戸籍届用冊子１０である。当該複写式戸籍届用冊子１０においては、保管用紙１３の裏面が外側となるように二つ折りされており、保管用紙１３の広告欄が裏表紙側に位置している。【選択図】図１
0003211517.tif 000002
【実用新案登録請求の範囲】
【請求項１】
見本用紙、戸籍届書、及びこの戸籍届書へ記入した事項の一部又は全部が表面に複写される保管用紙をこの順に且つそれぞれ分離可能に備え、
上記戸籍届書が、婚姻届書又は出生届書であり、
上記保管用紙の裏面に広告欄が設けられている複写式戸籍届用冊子。
【請求項２】
上記保管用紙の裏面が外側となるように二つ折りされており、
上記保管用紙の広告欄が裏表紙側に位置している請求項１に記載の複写式戸籍届用冊子。
【考案の詳細な説明】
【技術分野】
【０００１】
本発明は、複写式戸籍届用冊子に関する。
【背景技術】
【０００２】
自治体に提出する戸籍届書に婚姻届書（婚姻届）や出生届書（出生届）がある。これらの戸籍届書を記念又は思い出として保管しておくための書類保管用ファイルも提案されている（特許文献１参照）。
【０００３】
しかし、婚姻届書や出生届書といったこれらの戸籍届書は、自治体に届け出ると返還されない。従って、これらを保管するためには、届出前にコピーをとっておかなければならない。また、通常、これらの戸籍届書の用紙は、各自治体の費用で作成され、用意される。従って、各自治体でオリジナルの戸籍届書を作成及び用意している場合もあるが、このような場合、各自治体の費用負担の増加を引き起こす。
【先行技術文献】
【特許文献】
【０００４】
【特許文献１】特開２０１５−２０２６３２号公報
【考案の概要】
【考案が解決しようとする課題】
【０００５】
本考案は、以上のような事情に基づいてなされたものであり、その目的は、戸籍届書の保管用の写しを残しておくことができ、かつ自治体の費用負担を削減できる戸籍届用冊子を提供することである。
【課題を解決するための手段】
【０００６】
上記課題を解決するためになされた考案は、見本用紙、戸籍届書、及びこの戸籍届書へ記入した事項の一部又は全部が表面に複写される保管用紙をこの順に且つそれぞれ分離可能に備え、上記戸籍届書が、婚姻届書又は出生届書であり、上記保管用紙の裏面に広告欄が設けられている複写式戸籍届用冊子である。
【０００７】
当該複写式戸籍届用冊子においては、上記保管用紙の裏面が外側となるように二つ折りされており、上記保管用紙の広告欄が裏表紙側に位置していることが好ましい。
【考案の効果】
【０００８】
本考案によれば、戸籍届書の保管用の写しを残しておくことができ、かつ自治体の費用負担を削減できる戸籍届用冊子を提供することができる。
【図面の簡単な説明】
【０００９】
【図１】図１は、本考案の一実施形態の複写式戸籍届用冊子を見開いた状態を示す図である。
【図２】図２は、図１の複写式戸籍届用冊子の保管用紙の表面を示す図である。
【図３】図３は、図１の複写式戸籍届用冊子の保管用紙の裏面（表紙面及び裏表紙面）を示す図である。
【図４】図４は、図１の複写式戸籍用冊子を二つ折りした状態における表面側（表紙側）を示す図である。
【図５】図５は、図１の複写式戸籍用冊子を二つ折りした状態における裏面側（裏表紙側）を示す図である。
【考案を実施するための形態】
【００１０】
以下、適宜図面を参照にしつつ、本考案の一実施形態に係る複写式戸籍届用冊子について詳説する。
【００１１】
図１の複写式戸籍届用冊子１０は、見本用紙１１、戸籍届書１２及び保管用紙１３をこの順に備える三枚綴りの戸籍届用書類セットである。図１の複写式戸籍届用冊子１０は、二つ折りのものを開いた状態を示している。見本用紙１１、戸籍届書１２及び保管用紙１３は、それぞれ横長のＡ３サイズであり、それぞれの左端縁部１４がそれぞれ分離（剥離）可能に貼り合わされている。本考案において、戸籍届書１２は、婚姻届書又は出生届書であるが、以下には、婚姻届書である場合を中心に以下に説明する。
【００１２】
三枚綴りのうちの一番上に綴じられている見本用紙１１は、婚姻届書の書き方や注意事項が示された、婚姻届書の見本である。使用するときは、見本用紙１１を引き剥がし、見本用紙１１を見ながら、戸籍届書１２へ実際に記入することができる。
【００１３】
三枚綴りのうちの二番目に綴じられている戸籍届書１２は、いわゆる婚姻届書である。戸籍届書１２の様式は、一般的な婚姻届書のものと同様である。戸籍届書１２は、各自治体等で独自の形式とすることもできる。
【００１４】
ここで、三枚綴りのうちの二番目に綴じられている戸籍届書１２と、三番目に綴じられている保管用紙１３とは、戸籍届書１２へ記入した事項の一部が保管用紙１３の表面に複写されるように構成されている、いわゆる感圧紙である。具体的には、例えば戸籍届書１２は、発色剤が裏面に塗布されている上用紙であり、保管用紙１３は、上記発色剤と反応する顕色剤が表面に塗布されている下用紙である。なお、戸籍届書１２へ記入した事項が、筆圧を利用して保管用紙１３の表面に複写されるように構成されていればよく、上記のようなノーカーボン紙の他、カーボン紙、カーボン印刷用紙などであってもよい。
【００１５】
図２に示すように、保管用紙１３の表面には、戸籍届書１２への記載事項が複写される複写欄１３ａ、１３ｂ、写真を貼ることができる写真欄１３ｃ、及びメッセージ等を記載できるメッセージ欄１３ｄ、１３ｅが設けられている。その他、保管用紙１３の表面には、婚姻届書を提出した日付などを記載する箇所が設けられていてもよい。なお、保管用紙１３の表面とは、図１のように見開いた状態で上側になる面をいい、戸籍届書１２と接触する側の面である。
【００１６】
ここで、保管用紙１３の表面のうち、複写欄１３ａ、１３ｂの領域のみが、戸籍届書１２へ記載した事項が複写されるように構成されている。この場合、例えば戸籍届書１２の裏面において複写欄１３ａ、１３ｂに対応する領域にのみ発色剤が塗布されている、又は保管用紙１３の表面において複写欄１３ａ、１３ｂにのみ顕色剤が塗布されている。その他、従来公知の方法によって、保管用紙１３の表面のうち、複写欄１３ａ、１３ｂの領域のみが、戸籍届書１２へ記載した事項が複写されるように構成されていればよい。複写欄１３ａにおいては、夫になる人及び妻になる人の氏名、住所、本籍、父母の氏名、婚姻後の夫婦の氏・新しい本籍、及び同居を始めたときなどの記載事項が複写される。また、複写欄１３ｂにおいては、証人の氏名や住所等が複写される。上記複写欄１３ａ、１３ｂは、戸籍届書１２において上記各事項を記入する箇所と同じ位置（戸籍届書１２と保管用紙１３とを重ね合わせたときに重なる位置）に設けられている。
【００１７】
一方、戸籍届書１２において記入するその他の事項、例えば初婚・再婚の別、同居を始める前の夫婦のそれぞれの世帯の主な仕事と夫婦の職業、届出人などの記入事項は、複写されないように構成されている。
【００１８】
図３に示すように、保管用紙１３の裏面には、左側半分に広告欄１３ｆ、１３ｇ、１３ｈ、１３ｉが設けられている。この保管用紙１３の裏面における左側半分は、二つ折りしたときに裏表紙となる領域である。広告欄１３ｆ〜１３ｉには、企業等の広告が掲載されている。婚姻届書である場合の想定される広告としては、例えば旅行代理店、結婚式場、住宅メーカー、産婦人科医院等の病院などの広告が挙げられるが特に限定されるものではない。
【００１９】
一方、保管用紙１３の裏面における右側半分は、二つ折りしたときに表紙となる領域であり、氏名や婚姻届の提出日を記載する箇所が設けられている。
【００２０】
保管用紙１３は、長期間保管するものであり、また、二つ折りしたときに表紙及び裏表紙となるものであるから、比較的厚手の紙であることが好ましい。保管用紙１３の紙厚の下限としては特に限定されないが、例えば０．０８ｍｍであってもよいが、０．１ｍｍが好ましく、０．２ｍｍがより好ましいこともあり、０．２５ｍｍがさらに好ましいこともある。一方、この紙厚の上限も特に限定されないが、例えば１ｍｍであってよい。
【００２１】
図４、５に示すように、このような三枚綴りの複写式戸籍届用冊子１０は、保管用紙１３の裏面（図３に示す面）が外側となるように二つ折りされる。図４に示すように、二つ折りされた状態の複写式戸籍届用冊子１０においては、保管用紙１３の裏面（図３に示す面）における右側半分の面が表紙となる。一方、図５に示すように、二つ折りされた状態の複写式戸籍届用冊子１０においては、保管用紙１３の裏面（図３に示す面）における左側半分の広告欄１３ｆ〜１３ｉが設けられている面が裏表紙となる。すなわち、二つ折りした状態において、保管用紙１３の広告欄１３ｆ〜１３ｉは、裏表紙側に位置する。
【００２２】
（使用方法及び利点）
当該複写式戸籍届用冊子１０は、図４等に示すように二つ折りされた状態で頒布、保管、配布等される。戸籍届書１２を記入する際は、まず、複写式戸籍届用冊子１０を開き（図１参照）、１枚目の見本用紙１１を引き剥がす。そして、見本用紙１１に記載された記入例や記入の際の注意事項を見ながら、戸籍届書１２を実際に記入する。このとき、戸籍届書１２は、保管用紙１３からは引き剥がさず、戸籍届書１２と保管用紙１３とが重ねあわされた状態で、戸籍届書１２に所定事項を記入する。このようにすることで、記入した事項のうちの所定の箇所に記入した事項が、保管用紙１３（複写欄１３ａ、１３ｂ）に複写される。
【００２３】
記入後は、戸籍届書１２を保管用紙１３から引き剥がし、戸籍届書１２を自治体に提出する。保管用紙１３の写真欄１３には、夫になる人及び妻になる人の写真を貼ることができる。また、保管用紙１３のメッセージ欄１３ｄ、１３ｅには、夫になる人及び妻になる人それぞれのメッセージなどを記入できる。このように、戸籍届書１２への記入内容が複写され、結婚当時の写真やメッセージが載せられた保管用紙１３は、末永く保管しておくことができる。
【００２４】
このように、当該複写式戸籍届用冊子１０によれば、コピー機などを用いることなく戸籍届書の保管用の写し（保管用紙１３）を残しておくことができる。また、当該複写式戸籍届用冊子１０には広告欄１３ｆ〜１３ｉが設けられているため、広告主からの広告料によって作成することができる。従って、戸籍届を作成するための自治体の費用負担を削減できる。すなわち、このような複写式戸籍届用冊子１０は、自治体へ無料で提供することができる。一方、上記広告欄１３ｆ〜１３ｉは保管用紙１３に設けられており、この保管用紙１３は長期間保管されることとなる。また、二つ折りの状態の複写式戸籍届用冊子１０の裏表紙に広告欄１３ｆ〜１３ｉが設けられている。従って、広告欄１３ｆ〜１３ｉは結婚する又は結婚した二人などが目にする機会が多く、広告媒体としても優れる。
【００２５】
（その他の実施形態）
本考案の複写式戸籍届用冊子１０は、上記実施形態に限定されるものではない。上記実施形態においては、戸籍届書が婚姻届書であることを中心に説明したが、戸籍届書が出生届書である場合も同様とすることができる。なお、出生届書には、出生証明書も含むものとする。この場合、例えば出生届書の記載事項における生まれた子の氏名、生まれたとき・ところ、住所、父と母の氏名等や、出生証明書における子の氏名、生まれたとき、出生したところ及びその種類、体重及び身長の欄の記入事項が複写されるように構成することができる。また、保管用紙においては、メッセージ欄として、生まれてきた子へのメッセージや、名前の由来などを記入するようにしてもよいし、手形や足形などをとるようにしてもよい。また、出生届書である場合の広告主としては、保育園・幼稚園、住宅メーカー、保険会社、習い事教室等が広告効果の高い広告主として想定される。
【００２６】
また、上記実施形態においては、戸籍届書へ記入した事項のうちの特定の一部のみが複写されるように構成されたが、記入した事項の全部が複写されるように構成されていてもよい。広告欄は、二つ折りした状態で表側に位置するように設けられていてもよいし、複写される面（表面）側に設けられていてもよい。裏表紙は、全面が広告欄では無くてもよく、裏表紙にその他の情報が記載されるように構成されていてもよい。さらに、保管用紙において写真欄やメッセージ欄は設けられていなくてもよく、その他の記入欄などが設けられていてもよい。また、当該複写式戸籍届用冊子は、有償で提供されるものであってもよい。
【産業上の利用可能性】
【００２７】
本考案の複写式戸籍届用冊子は、通常自治体の負担で作成される戸籍届書を無料で自治体に提供することができる戸籍届書を含む冊子として有用である。また、例えば結婚情報誌などの付録としても活用でき、広告媒体としての利用価値もある。
【符号の説明】
【００２８】
１０：複写式戸籍届用冊子
１１：見本用紙
１２：戸籍届書
１３：保管用紙
１３ａ、１３ｂ：複写欄
１３ｃ：写真欄
１３ｄ、１３ｅ：メッセージ欄
１３ｆ、１３ｇ、１３ｈ、１３ｉ：広告欄
１４：左端縁部
【図１】
0003211517.tif 000003
【図２】
0003211517.tif 000004
【図３】
0003211517.tif 000005
【図４】
0003211517.tif 000006
【図５】
0003211517.tif 000007